(57)【特許請求の範囲】
【請求項１】
電線が挿入される電線挿入孔とこの電線挿入孔が連通する端子収納室とを備えた本体と、
前記端子収納室内に装着され前記電線挿入孔から挿入される電線を鎖錠する鎖錠端子とからなる電線接続器において、
前記鎖錠端子は、
ばね性を有する導電板を略コの字状に折り曲げ形成され、
前記電線挿入孔と対向し当該電線挿入孔から挿入される電線を先端で鎖錠する鎖錠舌片を切り起こして設けた鎖錠端子主部と、
前記鎖錠端子主部の一方端から折曲げ形成され前記鎖錠舌片の先端で鎖錠される電線を受ける電線受面部と、
前記鎖錠端子主部の他方端から電線受面部に対向し折曲げ形成された折曲げ片とを備えるとともに、
基板などに固定する接続脚を前記電線受面部と前記折曲げ片の先端にそれぞれ細くして形成し、
前記端子収納室の前記電線挿入孔と対向する面に、前記鎖錠端子が挿入される開口を形成するとともに、前記端子収納室の開口端部に、前記端子収納室内に装着される鎖錠端子の接続脚の片側又は両側の根元部に形成された引掛け凹部が引っ掛かる引掛け凸部を設けたことを特徴とする電線接続器。
【請求項２】
前記端子収納室の開口端部に設けた引掛け凸部と同じ幅か、少し大き目の幅の当該端子収納室に貫通するスリットを前記引掛け凸部が設けられた本体側面の長手方向に設けるとともに、
前記引掛け凸部内面が前記スリット端面と少なくとも同一面になるように設けたことを特徴とする請求項１記載の電線接続器。
【請求項３】
前記電線受面部に対向し形成された折曲げ片に当該電線受面部に向けて突出する凸曲げ部を設けたことを特徴とする請求項２記載の電線接続器。
【請求項４】
前記折曲げ片の凸曲げ部は、
前記電線を解除するため当該鎖錠舌片を前記凸曲げ部側に変形させた時、前記鎖錠舌片が塑性変形内で突当たる位置に設けたことを特徴とする請求項３記載の電線接続器。
【請求項５】
電線が接続される電線接続器を具備する配線器具であって、
前記電線接続器が請求項１ないし４項の内のいずれか一項に記載のものであることを特徴とする配線器具。
【発明の詳細な説明】
【０００１】
【発明の属する技術分野】
本発明は、照明器具などの配線器具に使用される電線接続器に関する。
【０００２】
【従来の技術】
従来、照明器具などの配線器具に使用されるこの種の電線接続器は、実開平4-91067 号に開示されているものが知られている。以下、図７〜図９を参照して説明する。
【０００３】
電線接続器１は、基板２などに取付けられるもので、エポキシ樹脂などの絶縁材からなる本体５と、この本体５内に組付けられるばね性を有する導電板からなる鎖錠端子２０とから構成している。
【０００４】
鎖錠端子２０は、長手方向に矩形状でばね性を有する導電板を折曲げ形成したもので、正面に垂直に配置し幅方向中心上端に上下方向に矩形状に穿設された電線挿入孔２２を備えた鎖錠端子主部２１と、この鎖錠端子主部２１の上端から後方に向け水平に折曲げ形成された電線受面部２５と、前記鎖錠端子主部２１の下方端から後方に向けるとともに前記電線受面部２５の裏面近傍まで折曲げ形成された鎖錠部３０とを備えている。
【０００５】
前記鎖錠部３０は、鎖錠端子主部２１の下方端から後方に向け円弧状に折曲げられた円弧状部３１と、この円弧状部３１の上端から後方に向け、前記電線受面部２５の裏面近傍まで傾斜状に折曲げ形成された鎖錠舌片３２とから構成している。
【０００６】
なお、鎖錠端子主部２１の電線挿入孔２２から挿入された電線（図示せず）は、当該電線の先端で鎖錠舌片３２を後方に向け押圧すると、当該鎖錠舌片３２は、円弧状部３１の上端を支点として後方下方に向け湾曲することにより、電線は、電線受面部２５の裏面に沿って挿入され、当該電線受面部２５の裏面と鎖錠舌片３２の先端との間に形成される隙間に進入することにより、電線は電線受面部２５の裏面に鎖錠舌片３２により圧接し鎖錠される。鎖錠舌片３２で圧接鎖錠された電線を引張ると鎖錠舌片３２は、電線を圧接し鎖錠する方向に引っ張られるので抜けることはない。
【０００７】
さらに、鎖錠端子２０の電線受面部２５の側面中程には、基板２などに半田付けし固定される接続脚２７を先端に有する折曲げ片２６が下方に向け直角に折曲げ形成している。
【０００８】
鎖錠端子２０が組付けられる本体５は、鎖錠端子が組付けられるエポキシ樹脂などの絶縁材からなる鎖錠端子収納箱体７と、エポキシ樹脂などの絶縁材からなる矩形状の蓋６とから構成している。
【０００９】
鎖錠端子収納箱体７は、平坦面状で矩形状をした底面壁部８と、当該底面壁部８の前端および両側端から上方に向け略コの字状に形成された前面壁部９と一対の側面壁部１０，１０とを備え、底面壁部８と前面壁部９と一対の側面壁部１０，１０とで囲まれた空間は端子収納室１５を形成している。また、端子収納室１５の上面および後面は開口し、矩形状の蓋６が取付けられる上面開口部１６と後面開口部１７とを備えている。
【００１０】
さらに、前記前面壁部９の上方には、前記端子収納室１５に連通する電線挿入孔１２が穿設された円筒部１１が前方に向け突出形成されている。
【００１１】
また、端子収納室１５の底面には、鎖錠端子２０の接続脚２７が挿入され当該接続脚２７が、鎖錠端子収納箱体７の底面壁部８から突出するスリット状の接続脚挿入孔１３が穿設している。
【００１２】
電線接続器の組立て方法を説明する。
【００１３】
最初に、鎖錠端子２０の接続脚２７を鎖錠端子収納箱体７の底面に穿設したスリット状の接続脚挿入孔１３に挿入すると、鎖錠端子の鎖錠端子主部２１は、鎖錠端子収納箱体の前面壁部９の裏面に沿って配置されるとともに、鎖錠端子の接続脚２７は、鎖錠端子収納箱体の底面壁部８から下方に向け突出する。
【００１４】
次に、蓋６を鎖錠端子収納箱体の上面開口部１６に取付け、図示しない方法で蓋６を鎖錠端子収納箱体７に固定する。
【００１５】
最後に、基板２に穿設したスリット孔３に電線接続器の底面壁部から下方に向け突出している接続脚２７を挿入し、電線接続器の底面壁部８を基板２上面に突き当て取付ける。それから、基板２の下面から突出している接続脚２７を半田２８により基板２下面に固定する。
【００１６】
【発明が解決しようとする課題】
上記のように従来の照明器具などの配線器具に使用される電線接続器に収納されている鎖錠端子は、展開した状態では、略Ｔ字型の形状をしていることから、材料取りが悪く、材料が無駄になりコストがアップするという問題があった。
【００１７】
また、本体は、鎖錠端子収納箱体と蓋とから構成されるなどによりコストがアップするいう問題があった。
【００１８】
さらに、電線接続器に接続されている電線を引張ると、鎖錠端子の電線受面部などが、基板に半田により固定されている接続脚に引っ張られ、変形する恐れがあるという問題があった。
【００１９】
本発明は上記の点に鑑みてなされたもので、安価で、且つ、電線接続後の無理な引張り等にも強い、信頼性の高い電線接続器および当該電線接続器を具備する配線器具を提供することを課題とする。
【００２０】
【課題を解決するための手段】
前記課題を達成するために、請求項１記載の発明に係る電線接続器は、電線が挿入される電線挿入孔とこの電線挿入孔が連通する端子収納室とを備えた本体と、前記端子収納室内に装着され前記電線挿入孔から挿入される電線を鎖錠する鎖錠端子とからなる電線接続器において、前記鎖錠端子は、ばね性を有する導電板を略コの字状に折り曲げ形成され、前記電線挿入孔と対向し当該電線挿入孔から挿入される電線を先端で鎖錠する鎖錠舌片を切り起こして設けた鎖錠端子主部と、前記鎖錠端子主部の一方端から折曲げ形成され前記鎖錠舌片の先端で鎖錠される電線を受ける電線受面部と、前記鎖錠端子主部の他方端から電線受面部に対向し折曲げ形成された折曲げ片とを備えるとともに、基板などに固定する接続脚を前記電線受面部と前記折曲げ片の先端にそれぞれ細くして形成し、前記端子収納室の前記電線挿入孔と対向する面に、前記鎖錠端子が挿入される開口を形成するとともに、前記端子収納室の開口端部に、前記端子収納室内に装着される鎖錠端子の接続脚の片側又は両側の根元部に形成された引掛け凹部が引っ掛かる引掛け凸部を設けたことを特徴とするものである。
【００２２】
請求項２記載の発明に係る電線接続器は、前記端子収納室の開口端部に設けた引掛け凸部と同じ幅か、少し大き目の幅の当該端子収納室に貫通するスリットを前記引掛け凸部が設けられた本体側面の長手方向に設けるとともに、前記引掛け凸部内面が前記スリット端面と少なくとも同一面になるように設けたことを特徴とするものである。
【００２３】
請求項３記載の発明に係る電線接続器は、前記電線受面部に対向し形成された折曲げ片に当該電線受面部に向けて突出する凸曲げ部を設けたことを特徴とするものである。
【００２４】
請求項４記載の発明に係る電線接続器は、前記折曲片の凸曲げ部は、前記電線を解除するため当該鎖錠舌片を前記凸曲げ部側に変形させた時、前記鎖錠舌片が塑性変形内で突当たる位置に設けたことを特徴とするものである。
【００２５】
請求項５記載の発明に係る配線器具は、電線が接続される電線接続器を具備する配線器具であって、前記電線接続器が請求項１ないし請求項４の内のいずれか一項に記載のものであることを特徴とするものである。
【００２６】
【発明の実施の形態】
照明器具などの配線器具に使用される本発明の実施の形態に係る電線接続器について、図１〜図６を参照して説明する。
【００２７】
図１は本発明の一実施の形態に係る電線接続器を示すもので、電線接続器４０は、例えば、基板２などに取付けられ使用するもので、エポキシ樹脂などの絶縁材からなる本体４１と、この本体４１内に組付けられるばね性を有する導電板からなる鎖錠端子７０とから構成している。
【００２８】
本体４１は、図２および図３に示すように、外形が直方体をなし、区画壁４３で区画形成され、下面に開口４５を有する端子収納室４４を左右に備えるとともに、上面に形成された矩形状の上面壁部４２と、この上面壁部４２の下方左右に形成される一対の矩形状の側面壁部５０，５０と、これら側面壁部５０，５０の上端および下端に連続し形成された矩形状の電線受面部当接壁部５１と矩形状の折曲げ片当接壁部５２とから構成している。
【００２９】
さらに、端子収納室４４と対向した上面壁部４２の中心線上上部および中心線上下部には、電線を挿入する円形状に穿設された電線挿入孔４６および中心線上に沿ってスリット状に穿設された鎖錠舌片解除孔４７とがそれぞれ形成されている。これら電線挿入孔４６と鎖錠舌片解除孔４７とは端子収納室４４にそれぞれ連通している。
【００３０】
また、端子収納室の端部側開口４５の４隅には、鎖錠端子７０を端子収納室４４内に引っ掛け固定するための引掛け凸部４８がそれぞれ突出形成している。
【００３１】
さらに、端子収納室の上面壁部裏面側は、折曲げ片当接壁部５２に向け上り傾斜する上り傾斜面４９を成している。
【００３２】
折曲げ片当接壁部５２の長手方向には、端子収納室の端部開口に設けた引掛け凸部４８，４８と同じ幅か、少し大き目の幅で、且つ、端子収納室に貫通するスリット５３が並列に４列それぞれ穿設されている。また、図３（Ａ）に示すように、引掛け凸部内面４８ａは、スリット端面５４と少なくとも同一面になるように設けられている。なお、引掛け凸部内面４８ａは、スリット端面５４より突出形成したものであってもよい。
【００３３】
端子収納室に装着される鎖錠端子７０は、図４および図５に示すように、長手方向に矩形状でばね性を有する導電板を略コ字状に折曲げ形成したもので、正面に切り起こし形成された鎖錠舌片７２を備えた矩形状の鎖錠端子主部７１と、この鎖錠端子主部７１の両端から後方に向け直角にそれぞれ折曲げられ鎖錠舌片の先端７２ａ側に形成され後方に向け細長状の接続脚７６を有する電線受面部７５および鎖錠舌片の根元７２ｂ側に形成され後方に向け細長状の接続脚７９を有する折曲げ片７８とを備えている。なお、電線受面部７５の後方に形成された接続脚７６と折曲げ片７８の後方に形成された接続脚７９とは、互いに向かい合う位置にそれぞれ形成している。
【００３４】
電線受面部７５の後方に延出形成され、当該電線受面部の幅より幅狭に形成された接続脚７６の根元部は、端子収納室の端部側開口の隅部に形成されている引掛け凸部４８，４８に引っ掛けて固定される引掛け凹部７６ａ，７６ａをそれぞれ構成している。
【００３５】
同様に、折曲げ片７８の後方に延出形成され当該折曲げ片の幅より幅狭に形成された接続脚７９の根元部は、端子収納室の端部側開口の隅部に形成されている引掛け凸部４８，４８に引っ掛けて固定される引掛け凹部７９ａ，７９ａをそれぞれ構成している。
【００３６】
鎖錠端子７０は、電線受面部７５の先端から当該電線受面部と同一幅からなる矩形状の鎖錠端子主部７１を下方に向け傾斜するように配置するとともに、当該鎖錠端子主部７１の端部から内側方向にＵ字状に折り返し曲げられたＵ字状曲げ部８５を介して内側に向けて山形状をした凸曲げ部８０が形成され、且つ、電線受面部に沿うとともに当該電線受面部と平行する電線受面部７５と同一幅からなる矩形状の折曲げ片７８が設けられている。
【００３７】
この山形状をした凸曲げ部８０は、両側が略ハの字状に折曲げられＵ字状曲げ部８５と連接し形成する第１の曲げ部８１と、当該第１の曲げ部８１と対向し相反方向に形成されている第２の曲げ部８２と、第１の曲げ部８１と第２の曲げ部８２とを連接する水平面部８３とから構成している。
【００３８】
鎖錠端子主部７１の幅方向中心線上には、内側に向け電線受面部７５側に切り起された鎖錠舌片７２が形成されている。当該鎖錠舌片は、その先端７２ａが、電線受面部７５裏面側に近接した状態で切り起こし形成されている。
【００３９】
この鎖錠舌片７２は、当該鎖錠舌片の根元７２ｂを支点として傾いたり、元の位置に復元したりするが、折曲げ片７８に突出形成される凸曲げ部の第１の曲げ部８１は、前記鎖錠舌片７２が塑性変形を生じない位置に形成されている。
【００４０】
鎖錠舌片の塑性変形防止用のストッパ一である第１の曲げ部８１は、鎖錠端子７０に一体的に形成したので、本体側に塑性変形防止用のストッパ一を設ける必要がなく、本体の製作が容易となるとともにコストダウンを図ることが可能である。
【００４１】
電線接続器の組立て方法を図６を参照して説明する。
【００４２】
第１ステップとして、図６（Ａ）に示すように、本体開口の端部に鎖錠端子の凸曲げ部８０を引っ掛け、斜めにして端子収納室４４に挿入する。
【００４３】
第２ステップとして、図６（Ｂ）に示すように、鎖錠端子の後端を水平に持ち上げ、鎖錠端子の先端部である鎖錠端子主部７１を端子収納室に挿入する。
【００４４】
第３ステップとして、図６（Ｃ）に示すように、鎖錠端子を奥に向けて水平に挿入していくと、端子収納室の開口側に形成している引掛け凸部４８，４８に鎖錠端子の第２の曲げ部８２が突き当たるまで挿入する。
【００４５】
第４ステップとして、図６（Ｄ）に示すように、端子収納室の端部側開口の隅部に形成されている引掛け凸部上を鎖錠端子の折曲片と電線受面部とが接しつつ、鎖錠端子を奥まで挿入する。
【００４６】
第５ステップとして、図６（Ｅ）に示すように、鎖錠端子の鎖錠端子主部７１を本体の上面壁部４２裏面に突当たるまで挿入すると、鎖錠端子の折曲げ片７８と電線受面部７５とが引掛け凸部４８，４８上から滑り落ち、鎖錠端子の接続脚の根元部に形成されている引掛け凹部７６ａ，７９ａが、端子収納室の端部側開口の隅部に形成されている引掛け凸部４８，４８にそれぞれ引っ掛かり、鎖錠端子７０は、端子収納室４４内に収納固定されるとともに、本体の外部に鎖錠端子の接続脚７６，７９が突出した状態で取り付けられる。
【００４７】
鎖錠端子７０が、端子収納室４４に収納固定された状態では、鎖錠端子の電線受面部７５および折曲げ片７８とは、本体の電線受面部当接壁部５１の裏面と折曲げ片当接壁部５２の裏面にそれぞれ当接した状態で装着される。
【００４８】
さらに、本体の上面壁部４２に穿設された電線挿入孔４６は、鎖錠端子の鎖錠舌片７２の先端部と対向した位置に形成されている。また、本体の上面壁部に穿設されている鎖錠舌片解除孔４７は、鎖錠端子の鎖錠舌片７２の根元部と対向した位置に配置されている。
【００４９】
次に、実施の形態に係る電線接続器の作用を説明する。
【００５０】
この電線接続器の構成では、鎖錠端子７０の接続脚７６，７９が、当該鎖錠端子７０に対向し形成している電線受面部７５および折曲げ片７８の後方に途中に曲げなどがなく、同じ平面状内に形成されていることから、接続された電線を引張っても鎖錠端子７０が変形することはない。
【００５１】
また、鎖錠端子は、幅５ｍｍ程度の短冊状の材料を折り曲げ形成しているので、材料の無駄が少なく安価にできる。
【００５２】
更に、鎖錠端子７０を挿入し、当該鎖錠端子７０の接続脚７６，７９の片側又は両側の根元部に形成されている引掛け凹部７６ａ，７９ａを、本体４１の引掛け凸部４８，４８に引っ掛けるだけで、蓋をするなど余計な組立作業が不要で、組立工数も削減され、コストが安くなる。
【００５３】
又、電線接続器は、その接続脚７６，７９を基板２のスリット孔３，３に挿入し、当該接続脚７６，７９を基板２に半田付けされる。この場合、図１に示すように、電線接続器の後方に形成された開口４５は、基板２で塞がれるが、本体４１の側面にスリット５３が設けられていることから、当該スリット５３から、鎖錠端子７０から発生する熱が外部に放熱されやすく、鎖錠端子７０の温度上昇を低く抑えることができる。
【００５４】
また、そのスリットの幅を引掛け凸部と同じか、少し、大きく形成していることから、金型構造が簡単になり、コストダウンすることが可能になる。
【００５５】
又、電線接続器は、その折曲げ片７８に凸曲げ部８０を設けることで、本体４１の引掛け凸部４８を避けるように、鎖錠端子７０を回転させることにより、本体４１への挿入が容易に行える。また、鎖錠端子７０の組み込み時の無理な変形もないので、性能が安定する。
【００５６】
更に、電線接続器は、その凸曲げ部８０を解除ストッパ一にすることにより、鎖錠舌片７２の塑性変形が防止されるとともに、本体４１側に解除ストッパ一を設ける必要がなく本体４１の製作が容易となり、コストダウンを図ることができる。
【００５７】
請求項５に記載した配線器具（図示せず）は、電線が接続される請求項１ないし４項に記載の電線接続器を具備したものである。
【００５８】
【発明の効果】
以上詳記したように請求項１記載の発明によれば、鎖錠端子を、ばね性を有する導電性のある材料を略コの字に曲げ形成して、コの字の開口を形成する両側面の内の片側を電線受面部とし、電線受面部と連なる隣の面である鎖錠端子主部に、コの字の内側に向かって切り起こされた鎖錠舌片を設けるとともに、電線受面部の先端と電線受面部に向かい合う折曲げ片の先端を細くすることにより接続脚を形成したので、接続された電線を引張っても鎖錠端子が変形することはない。また、鎖錠端子は、短冊状の材料を折曲げ形成したものであることから、材料の無駄が少なく安価にできる。
【００５９】
更に、請求項１記載の発明によれば、本体の端子収納室は、下面が開口しており、その開口から鎖錠端子を挿入できるとともに、この端子収納室の開口端部に、挿入された鎖錠端子の接続脚の片側又は両側に設けられた引掛け凹部を、鎖錠端子が外れないようにするための引掛け凸部を設けたので、組立作業が簡単で、従来技術で使用した蓋などの余分な部品が不要で、組立工数も削減され、コストダウンを図ることが可能である。
【００６０】
請求項２記載の発明によれば、端子収納室の開口端部に設けた引掛け凸部と同じ幅か、少し大き目の幅のスリットを本体の側面である折曲げ片当接壁部に端子収納室に貫通するように設けたので、金型の構造が簡単なものになり、コストダウンを図ることが可能になる。また、鎖錠端子から発生する熱を本体に穿設したスリットから外部に放熱されやすく、鎖錠端子の温度上昇を低く抑えることができる。
【００６１】
請求項３記載の発明によれば、電線受面部と向かい合う折曲げ片に、凸曲げ部を突出形成したので、本体の引掛け凸部を避けるように鎖錠端子を回転させることにより、本体への挿入が容易に行える。また、鎖錠端子の組み込み時の無理な変形もなくなるので、性能が安定する。
【００６２】
請求項４記載の発明によれば、鎖錠端子の折曲げ片に突出形成した凸曲げ部を、一度接続した電線を解除するために鎖錠舌片を前記凸曲げ部側に変形させた時、鎖錠舌片の塑性変形を防止する位置に設けたので、鎖錠舌片の塑性変形を防止できるとともに、本体側に解除ストッパ一を設ける必要がなく、本体の製作が容易となり、コストダウンを図ることができる。
【００６３】
請求項５記載の発明によれば、請求項１ないし４項の内のいずれか一項に記載の電線接続器を具備する配線器具を提供できる。
【図面の簡単な説明】
【図１】本発明の第１実施の形態に係る電線接続器を基板に取り付けた状態を示すもので、
（Ａ）は正面断面図。  （Ｂ）は側面図。
【図２】同第１実施の形態における電線接続器の本体を示す平面図。
【図３】同第１実施の形態における電線接続器の本体を示すもので、
（Ａ）は正面断面図。  （Ｂ）は側面断面図。
【図４】同第１実施の形態における電線接続器の鎖錠端子を示す側面断面図。
【図５】同第１実施の形態における電線接続器の鎖錠端子を示す平面図。
【図６】同第１実施の形態における電線接続器の本体に鎖錠端子を取付ける手順を示すもので、
（Ａ）は第１ステップ。（Ｂ）は第２ステップ。（Ｃ）は第３ステップ。
（Ｄ）は第４ステップ。（Ｅ）は第５ステップ。
【図７】従来技術に係る電線接続器を基板に取り付けた状態を示す正面断面図。
【図８】従来技術に係る電線接続器を基板に取り付ける状態を示す斜視図。
【図９】従来技術に係る電線接続器の構成部品を示す斜視図。
【符号の説明】
２…基板，
２８…半田，
４２…上面（上面壁部），
４１…本体，
４４…端子収納室，
４５…開口，
４６…電線挿入孔，
４８…引掛け凸部，
４８ａ…引掛け凸部内面，
５３…スリット，
５４…スリット端面，
７０…鎖錠端子，
７１…鎖錠端子主部，
７２…鎖錠舌片，
７５…電線受面部，
７６…接続脚，
７６ａ…引掛け凹部，
７８…折曲げ片，
７９…接続脚，
７９ａ…引掛け凹部，
８０…凸曲げ部。
【図１】
0003733774.tif 000002
【図２】
0003733774.tif 000003
【図３】
0003733774.tif 000004
【図４】
0003733774.tif 000005
【図５】
0003733774.tif 000006
【図６】
0003733774.tif 000007
【図７】
0003733774.tif 000008
【図８】
0003733774.tif 000009
【図９】
0003733774.tif 000010